(57)【特許請求の範囲】
【請求項１】
第１のメモリカードを第２のメモリカードと略同等に機能させるためのカード用アダプタであって、
前記第１のメモリカードを装着する装着部と、
前記装着部に装着された前記第１のメモリカードの複数の端子と接続される複数のカード接続部と、
前記第２のメモリカードの接続対象であるコネクタの複数の端子と接続される複数のコネクタ接続部と、
前記カード接続部及び前記コネクタ接続部を保持する絶縁体からなる保持部と、
前記複数のカード接続部のうちの第１のカード接続部の一部及び前記複数のコネクタ接続部のうちの第１のコネクタ接続部の一部が、前記保持部内から前記保持部の上面側の表面側に屈曲され、前記保持部の前記表面と略面一状となるように構成されて、前記保持部において前記保持部の前記表面に露出し、該露出した一部同士を前記表面において導通する、導電性の印刷体により形成された導通部と、
前記複数のカード接続部のうちの第２のカード接続部及び前記複数のコネクタ接続部のうちの第２のコネクタ接続部が、前記保持部内において互いに一体に連続形成されてなる連続形成部とを具備し、
前記導通部は、前記連続形成部に対して非接触で前記連続形成部を跨ぐように横切ることを特徴とするカード用アダプタ。
【請求項２】
前記第１のカード接続部及び前記第１のコネクタ接続部を複数組具備し、各々の組の前記導通部が前記保持部の前記表面にそれぞれ形成されていることを特徴とする請求項１に記載のカード用アダプタ。
【請求項３】
第１のメモリカードを第２のメモリカードと略同等に機能させるためのカード用アダプタであって、
前記第１のメモリカードを装着する装着部と、
前記装着部に装着された前記第１のメモリカードの複数の端子と接続される複数のカード接続部と、
前記第２のメモリカードを接続するためのコネクタの複数の端子と接続される複数のコネクタ接続部と、
前記カード接続部及び前記コネクタ接続部を保持する絶縁体からなる保持部と、
前記複数のカード接続部のうちの少なくとも２つを含むカード接続部の組または前記複数のコネクタ接続部のうちの少なくとも２つを含むコネクタ接続部の組のうちのいずれか一方の組の一部が、前記保持部内から前記保持部の上面側の表面側に屈曲され、前記保持部の前記表面と略面一状となるように構成されて、前記保持部において前記保持部の前記表面に露出し、該露出した部分同士を前記表面において導通する、導電性の印刷体により形成された導通部とを具備することを特徴とするカード用アダプタ。
【請求項４】
前記導通部は、前記カード接続部の組または前記コネクタ接続部の組以外の前記カード接続部及び前記コネクタ接続部の少なくとも１つに対して非接触で跨ぐように横切ることを特徴とする請求項３に記載のカード用アダプタ。
【請求項５】
前記導通部は、前記カード接続部及び前記コネクタ接続部の板厚よりも薄い厚さとなっていることを特徴とする請求項１から請求項４のいずれかに記載のカード用アダプタ。
【請求項６】
前記保持部の前記表面にシールド層を具備し、
前記複数のカード接続部及び前記複数のコネクタ接続部のうちの接地される接続部の少なくとも一つがその一部を前記保持部の前記表面に露出し、該露出した部分が前記シールド層と接続されていることを特徴とする請求項１から請求項５のいずれかに記載のカード用アダプタ。
【請求項７】
前記シールド層は、前記保持部の前記表面の前記導通部を覆う位置を含む領域に形成され、前記シールド層と前記導通部との間に絶縁層が形成されていることを特徴とする請求項６に記載のカード用アダプタ。
【請求項８】
前記シールド層は、絶縁性の被覆部により被覆されていることを特徴とする請求項６または請求項７に記載のカード用アダプタ。
【請求項９】
前記導通部は、絶縁性の被覆部により被覆されていることを特徴とする請求項６に記載のカード用アダプタ。
【請求項１０】
前記シールド層は、導電性の印刷体により形成されていることを特徴とする請求項６から請求項９のいずれかに記載のカード用アダプタ。
【発明の詳細な説明】
【技術分野】
【０００１】
本発明は、カード用アダプタに関し、例えば小型化したメモリカードとそれよりも大きな標準カードとの互換性を持たせるためのカード用アダプタに関する。
【背景技術】
【０００２】
標準カードよりも小型化したメモリカード（小型カード）を標準カードの装着対象に装着させるためのカード用アダプタがある（特許文献１参照）。このカード用アダプタは、小型カードの端子ピッチ及び端子幅に応じて配列された複数のカード側端子と、標準カード用のピッチ及び端子幅に応じて設けられた複数のコネクタ側端子とが端子基板によってそれぞれ片持ち支持されている。カード側端子とコネクタ側端子とは、端子基板において接続されており、小型カードがカード用アダプタに装着されると、この小型カードの端子がカード用アダプタのカード側端子と電気的に接続した状態となる。
【０００３】
カード側端子とコネクタ側端子とは、端子基板を介して電気的に接続状態となっていることにより、装着された小型カードの端子は、カード用アダプタのコネクタ側端子と電気的に接続された状態となる。これにより、カード用アダプタにおいては、装着された小型カードの端子の機能を、これよりも大きな標準カードの端子（コネクタ側端子）に割り当てるようになされている。
【０００４】
かかる構成の従来のカード用アダプタにおいては、カード側端子とコネクタ側端子の中間位置に抵抗体が印刷され、これにより大電流から回路を保護すると共に信号ラインのノイズを除去するようになされている。
【０００５】
また、従来のカード用アダプタとして、カード側端子に対して、絶縁板を介して金属板を配置し、カード側端子と金属板をスルーホールで接続する構成のものがある（特許文献２参照）。
【特許文献１】特開２００６−３５０７２５号公報（図３）
【特許文献２】特開２００７−４２５３９号公報（図７）
【発明の開示】
【発明が解決しようとする課題】
【０００６】
ところで、小型カードの各端子の機能の配置と標準カードの各端子の機能の配置とが異なっている場合、各機能同士を接続するためには、ジャンパー線等を用いる方法、または機能同士を接続するための回路基板を用いる方法等がある。しかしながら、これらの方法では、ジャンパー線や回路基板を設ける分、構成が複雑になってカード用アダプタを薄型化し得ない問題があった。
【０００７】
本発明はかかる問題点に鑑みてなされたものであり、一段と薄型のカード用アダプタを提供することを目的とする。
【課題を解決するための手段】
【０００８】
本発明のカード用アダプタは、第１のメモリカードを第２のメモリカードと略同等に機能させるためのカード用アダプタであって、前記第１のメモリカードを装着する装着部と、前記装着部に装着された前記第１のメモリカードの複数の端子と接続される複数のカード接続部と、前記第２のメモリカードの接続対象であるコネクタの複数の端子と接続される複数のコネクタ接続部と、前記カード接続部及び前記コネクタ接続部を保持する絶縁体からなる保持部と、前記複数のカード接続部のうちの第１のカード接続部の一部及び前記複数のコネクタ接続部のうちの第１のコネクタ接続部の一部が、前記保持部内から前記保持部の上面側の表面側に屈曲され、前記保持部の前記表面と略面一状となるように構成されて、前記保持部において前記保持部の前記表面に露出し、該露出した一部同士を前記表面において導通する、導電性の印刷体により形成された導通部と、前記複数のカード接続部のうちの第２のカード接続部及び前記複数のコネクタ接続部のうちの第２のコネクタ接続部が、前記保持部内において互いに一体に連続形成されてなる連続形成部とを具備し、前記導通部は、前記連続形成部に対して非接触で前記連続形成部を跨ぐように横切ることを特徴とする。
【０００９】
上記カード用アダプタによれば、カード接続部とコネクタ接続部とを保持部外で接続するための導通部を、保持部の表面に形成することにより、モールド成形の製造工程を複雑にすることなく、カード用アダプタを一段と薄型化することができる。また、導通部が保持部の表面への印刷により形成されることにより、この導通部を層状に一段と薄く形成することができ、カード用アダプタをより一層薄型化することができる。
【００１０】
また、上記カード用アダプタにおいて、前記第１のカード接続部及び前記第１のコネクタ接続部を複数組具備し、各々の組の前記導通部が前記保持部の表面にそれぞれ形成されていることが好ましい。この場合には、保持部の表面に複数の導通部が形成されて、複数組の端子の接続が行われることにより、端子間の接続の自由度を確保することができ、設計の自由度を向上させることができる。
【００１１】
また、本発明のカード用アダプタは、第１のメモリカードを第２のメモリカードと略同等に機能させるためのカード用アダプタであって、前記第１のメモリカードを装着する装着部と、前記装着部に装着された前記第１のメモリカードの複数の端子と接続される複数のカード接続部と、前記第２のメモリカードを接続するためのコネクタの複数の端子と接続される複数のコネクタ接続部と、前記カード接続部及び前記コネクタ接続部を保持する絶縁体からなる保持部と、前記複数のカード接続部のうちの少なくとも２つを含むカード接続部の組または前記複数のコネクタ接続部のうちの少なくとも２つを含むコネクタ接続部の組のうちのいずれか一方の組の一部が、前記保持部内から前記保持部の上面側の表面側に屈曲され、前記保持部の前記表面と略面一状となるように構成されて、前記保持部において前記保持部の前記表面に露出し、該露出した部分同士を前記表面において導通する、導電性の印刷体により形成された導通部とを具備することを特徴とする。
【００１２】
上記カード用アダプタによれば、カード接続部同士またはコネクタ接続部同士を保持部
外で接続するための導通部を、保持部の表面に形成することにより、カード用アダプタを
一段と薄型化することができる。また、導通部が保持部の表面への印刷により形成されることにより、この導通部を層状に一段と薄く形成することができ、カード用アダプタをより一層薄型化することができる。
【００１３】
また、上記カード用アダプタにおいて、前記導通部は、前記カード接続部の組または前記コネクタ接続部の組以外の前記カード接続部及び前記コネクタ接続部の少なくとも１つに対して非接触で跨ぐように横切ることが好ましい。この場合には、モールド成形で形成された保持部の構成を複雑にすることなく、導通部を形成できるので、カード用アダプタを容易に製造できる。
【００１５】
また、上記カード用アダプタにおいて、前記導通部は、前記カード接続部及び前記コネクタ接続部の板厚よりも薄い厚さとなっていることが好ましい。この場合には、導通部がカード接続部及びコネクタ接続部よりも薄いので、カード接続部とコネクタ接続部との連続形成部を立体的に交差する場合よりも立体的に交差する部位の厚さを薄く形成することができ、カード用アダプタを一層薄型化できる。
【００１６】
また、上記カード用アダプタにおいて、前記保持部の表面にシールド層を具備し、前記複数のカード接続部及び前記複数のコネクタ接続部のうちの接地される接続部の少なくとも一つがその一部を前記保持部の表面に露出し、該露出した部分が前記シールド層と接続されていることが好ましい。この場合には、シールド層によって電気ノイズをシールドすることができる。
【００１７】
また、上記カード用アダプタにおいて、前記シールド層は、前記保持部の表面の前記導通部を覆う位置を含む領域に形成され、前記シールド層と前記導通部との間に絶縁層が形成されていることが好ましい。この場合には、保持部表面の導通部が形成された領域を含む広い領域にシールド層を形成することができる。
【００１８】
また、上記カード用アダプタにおいて、前記シールド層は、絶縁性の被覆部により被覆されていることが好ましい。この場合には、シールド層が絶縁されることにより、シールド層と他の金属部品とが接触することによる短絡を防止することができる。
【００１９】
また、上記カード用アダプタにおいて、前記導通部は、絶縁性の被覆部により被覆されていることが好ましい。この場合には、導通部が絶縁されることにより、導通部と他の金属部品とが接触することによる短絡を防止することができる。
【００２０】
また、上記カード用アダプタにおいて、前記シールド層は、導電性の印刷体により形成されていることが好ましい。この場合には、シールド層を印刷によって保持部の表面に形成することにより、保持部の表面に導通部を印刷する工程と同じ印刷工程を利用してシールド層を形成することができる。
【発明の効果】
【００２１】
本発明によれば、一段と薄型のカード用アダプタを提供することができる。
【発明を実施するための最良の形態】
【００２２】
以下、本発明の一実施の形態について添付図面を参照して詳細に説明する。
図１は、本発明の一実施の形態に係るカード用アダプタ２０及びこれに装着される小型カード１０を示す斜視図である。カード用アダプタ２０は、その外形形状や端子（コネクタ側端子２７）の位置が標準カードと略同様に形成されており、標準カードよりも小さな小型カード１０を装着した状態で、該カード用アダプタ２０を標準カードの装着対象であるコンピュータ等のスロットに設けられたコネクタ（図示せず）に装着することにより、標準カードを装着するようになされたコネクタに対して、標準カードと大きさや端子配列が異なる小型カード１０を装着可能として、小型カード１０の各端子と、該端子と同じ機能のコネクタの端子とを電気的に導通させるようにしたものである。
【００２３】
すなわち、図１において、カード用アダプタ２０は、小型カード１０を挿入する挿入口２２を箱型の筺体２１の一方の端部に有していると共に、この挿入口２２から挿入された小型カード１０の複数の端子と接触する複数のカード側端子（カード接続部）２５と、カード用アダプタ２０の装着対象であるコネクタの複数の端子の配置に合わせて配列された複数のコネクタ側端子（コネクタ接続部）２７と、各カード側端子２５と各コネクタ側端子２７とを片持ち保持する保持部３１とを筺体２１の内部に有している。カード側端子２５及びコネクタ側端子２７は、金属板により平板状に形成されている。また、保持部３１は、樹脂等の絶縁体により形成されている。
【００２４】
筺体２１は、略平板状の下部筺体３５と、この下部筺体３５の一方の端部に形成され、挿入口２２を有する挿入ガイド部３３と、この下部筺体３５の上面側を覆う上部筺体３６とによって構成されている。下部筺体３５の上面には、下部筺体３５の側縁に沿って上方に突出した枠部３２ａ及び３２ｂが形成されており、挿入口２２から挿入された小型カード１０の縁部をガイドするようになされている。また、下部筺体３５の他方の端部３５ｂの近傍には、枠部３２ａ及び３２ｂ間に保持部３１が配置されており、この保持部３１に片持ち保持されたコネクタ側端子２７が下部筺体３５の他方の端部３５ｂに沿って配列されている。下部筺体３５の他方の端部３５ｂの底面部には、各コネクタ側端子２７にそれぞれ対面する位置に複数の開口部３８が形成されており、この開口部３８を介して、コネクタ側端子２７が下部筺体３５の下方に露出した状態となっている。この構成は、標準カードと同様の構成であり、これにより、標準カードを装着するためのコネクタ（図示せず）に対して、標準カードと同様にカード用アダプタ２０を装着し得るようになされている。
【００２５】
保持部３１は、樹脂材からなり、カード側端子２５及びコネクタ側端子２７を保持するようにモールド成形することにより形成されている。図２は、保持部３１が形成される前のカード側端子２５及びコネクタ側端子２７を示す斜視図である。図２に示すように、カード側端子２５は、小型カード１０に設けられた端子の端子幅に応じた端子幅で形成されていると共に、小型カード１０の端子の配列ピッチに応じたピッチで配列されている。これにより、小型カード１０がカード用アダプタ２０に装着された場合に、小型カード１０の端子とカード用アダプタ２０のカード側端子２５とが接触するようになされている。また、コネクタ側端子２７は、カード用アダプタ２０の装着対象（すなわち標準カードの装着対象）であるコネクタの端子幅に応じた端子幅で形成されていると共に、該コネクタの端子配列のピッチに応じたピッチで配列されている。これにより、カード用アダプタ２０がコンピュータ等の電子機器のコネクタに装着された場合に、カード用アダプタ２０のコネクタ側端子２７とコネクタの端子とが接触するようになされている。
【００２６】
カード側端子２５及びコネクタ側端子２７は、小型カード１０の各端子に割り当てられた機能と、コネクタ側端子２７の接続対象であるコネクタの各端子に割り当てられた機能とに基づいて、同じ機能の端子同士が連続形成部４１によって接続されている。この連続形成部４１は、カード側端子２５とコネクタ側端子２７とが保持部３１内において互いに一体に接続されている部位である。
【００２７】
図２において、例えば、カード側端子２５ａに接触する小型カード１０（図１）の端子に割り当てられた機能と、コネクタ側端子２７ａに接触するコネクタの端子に割り当てられた機能とが同じ機能である場合、これらカード側端子２５ａとコネクタ側端子２７ａとが連続形成部４１ａによって接続されるように形成されている。これにより、カード用アダプタ２０に小型カード１０を装着した状態でこのカード用アダプタ２０をコネクタに装着すると、小型カード１０の端子と、この端子に割り当てられた機能と同じ機能が割り当てられたコネクタの端子とが電気的に導通することになる。
【００２８】
ここで、カード側端子２５ｂとコネクタ側端子２７ｂとが小型カード１０及びコネクタの同じ機能の端子に対応している場合、これらカード側端子２５ｂとコネクタ側端子２７ｂとを接続する必要がある。この場合、これらの端子２５ｂ、２７ｂの間には、他の端子（カード側端子２５ｃ、コネクタ側端子２７ｃ）の連続形成部４１ｘが配置されていることにより、モールド成形されてなる保持部３１の内部において、この連続形成部４１ｘに接触させずに跨ぐように交差させて新たな連続形成部を構成するためにはモールド成形工程が煩雑な製造工程が必要となる。この実施の形態の場合、端子が接続される部位同士を接触させずに交差させるための構成として、一方の端子が接続される部位を保持部３１の表面に配置する構成となっている。
【００２９】
すなわち、カード側端子２５ｂは、モールド成形されて保持部３１（図１）に支持されるベース部２５ｂ1において、保持部３１内から該保持部３１の上面側に屈曲されており、屈曲された先端部２５ｂ２が保持部３１の上面側の表面と略面一状となるように形成されている。
【００３０】
また、コネクタ側端子２７ｂは、モールド成形されて保持部３１（図１）に持される支持部２７ｂ１において、保持部３１内から該保持部３１の上面側に屈曲されており、屈曲された先端部２７ｂ２が保持部３１の上面側の表面と略面一状となるように形成されている。
【００３１】
これにより図３に示すように、モールド成形されてなる保持部３１の上面側の表面において、カード側端子２５ｂの先端部２５ｂ２及びコネクタ側端子２７ｂの先端部２７ｂ２が露出した状態となる。この状態において、保持部３１の上面側の表面のこれら端子の先端部が露出した部分を含むように、導電体となる銀の粉末を含んだ電気抵抗が非常に小さい導電性の印刷体（導電性ペースト）を印刷することにより薄い層状の導通部５０が形成される。ここでは、導電体として銀を用いているが、本発明はこれに限られるものではなく、同様の特性を有するその他の材料を用いることができる。このように形成した導通部５０は、カード側端子２５及びコネクタ側端子２７の板厚よりも厚さが薄いものとなっている。ここでは、導通部５０を印刷により形成しているが、本発明はこれに限られるものではなく、印刷で形成したものと同様に薄く形成できる導電体、例えば薄膜の導電シートのような導電体など、であれば導通部５０に用いることができる。これにより、カード側端子２５ｂの先端部２５ｂ２及びコネクタ側端子２７ｂの先端部２７ｂ２が保持部３１の表面において導通部５０により導通状態に接続される。
【００３２】
かくして、絶縁体でなる保持部３１の表面において、カード側端子２５ｂとコネクタ側端子２７ｂとが導通状態に接続される。この場合、図４に示すように、保持部３１の内部においては、カード側端子２５ｃとコネクタ側端子２７ｃとの連続形成部４１ｘが配置されているが、カード側端子２５ｂとコネクタ側端子２７ｂとは、保持部３１の上面側の表面において導通部５０により接続されることにより、保持部３１を構成する絶縁体により、これら２つの接続される部位は互いに絶縁状態となる。
【００３３】
以上説明した構成のカード用アダプタ２０において、小型カード１０を挿入口２２（図１）から挿入して小型カード１０の端子とカード用アダプタ２０のカード側端子２５とを接触させると、小型カード１０の各端子は、カード側端子２５を介してこのカード側端子２５に接続されたコネクタ側端子２７と電気的に接続される。
【００３４】
小型カード１０を装着した状態でカード用アダプタ２０をその装着対象であるコンピュータ等のスロットに装着すると、カード用アダプタ２０のコネクタ側端子２７とスロットのコネクタの端子とが接触してこれらが電気的に接続される。
【００３５】
ここで、カード用アダプタ２０の装着対象であるコネクタにおいては、標準のメモリカードの各端子に割り当てられた機能の配置と一致するようにコネクタの各端子の機能が割り当てられている。従って、標準カードの機能配置とは異なる機能配置がなされた小型カード１０を用いる場合には、その小型カード１０の端子の機能配置に応じてカード側端子２５とコネクタ側端子２７とが接続されているカード用アダプタ２０を用いる。
【００３６】
このように、カード用アダプタ２０においては、カード側端子２５とコネクタ側端子２７とが小型カード１０の端子に割り当てられた機能の配置に応じて接続されることにより、カード側端子２５とコネクタ側端子２７との間には、互いの接続される部位が交差する部分が生じる。この交差部分においては、上述したように、交差する一方の接続される部位が保持部３１の表面において印刷体（導電性ペースト）を印刷することにより導通部５０として形成され、保持部３１の内部における他方の接続される部位（連続形成部４１ｘ（図２、図４））とは非接触で交差することになる。
【００３７】
本実施の形態のカード用アダプタ２０においては、２つの交差する接続される部位（連続形成部４１ｘ及び導通部５０）の接触を回避する構成において、一方の接続される部位が保持部３１の表面への印刷により形成されることにより、この接続される部位（導通部５０）を層状に一段と薄く形成することができる。これにより、例えばジャンパー線や回路基板等のような厚みのある部品を保持部３１の外部に取り付けて導通部５０を構成する場合に比べて、カード側端子２５とコネクタ側端子２７との接続される部位における厚みを一段と薄くすることができる。かくして以上の構成によれば、一段と薄型のカード用アダプタ２０を実現することができる。
【００３８】
また、本実施の形態のカード用アダプタ２０によれば、カード側端子２５ｂとコネクタ側端子２７ｂとの接続される部位が他の端子間の接続される部位（連続形成部４１）と交差する構成において、一方の接続される部位の一部となるカード側端子２５ｂ及びコネクタ側端子２７ｂの各先端部２５ｂ２及び２７ｂ２を保持部３１の上面側に屈曲させる簡単な端子構成とするだけで、導通部５０の印刷により、他の端子間の接続される部位（連続形成部４１）を跨ぐようにカード側端子２５ｂ及びコネクタ側端子２７ｂの間を導電状態に接続することができる。これにより、モールド成形により形成される保持部３１の内部において、金属板による接続される部位の立体的な交差といった複雑な構成とする必要がなくなる。また、導通部５０はカード側端子２５やコネクタ側端子２７の板厚よりも薄いため、２つの連続形成部を立体的に交差させたときの厚さよりも厚さを薄く形成できる。
【００３９】
また、保持部３１をモールド成形することにより保持部３１内にカード側端子２５とコネクタ側端子２７との間の連続形成部４１ｘを保持した後、保持部３１の表面に導通部５０を形成することにより、モールド成形の製造工程が複雑になることを避けることができ、カード用アダプタ２０を容易に製造することが可能となる。
【００４０】
また、保持部３１の表面に複数の導通部５０を形成して、複数組の端子の接続を行うことにより、端子間の接続の自由度を確保することができ、設計の自由度を向上させることができる。
【００４１】
なお、上述の実施の形態においては、カード側端子２５とコネクタ側端子２７との接続される部位を互いに非接触で交差させる場合について述べたが、これに加えて、電気的なシールド層を形成するようにしてもよい。例えば、図５に示すように、導通部５０が印刷により設けられた保持部３１の表面において、その全面に導電性ペーストを印刷することにより、シールド層５５を形成する。この場合、図６に示すように、少なくともシールド層５５と導通部５０との間には絶縁層６１を形成することにより、導通部５０とシールド層５５とを非導通とする。このように、導通部５０とシールド層５５とを非導通とすることにより、導通部５０が形成された領域を含む保持部３１の上面側の表面全体にシールド層５５を形成することができる。因みに、図６及び後述する図７は、保持部３１、導通部５０及びシールド層５５の断面を模式的に示すものであり、各層の厚みを実際の厚みよりも厚く示している。
【００４２】
保持部３１の表面には（図５）、接地用のカード側端子２５ｄの先端部２５ｄ２が露出しており、また接地用のコネクタ側端子２７ｄの先端部２７ｄ２が露出している。これにより、これら接地用の端子とシールド層５５とが導通状態に接続されることにより、シールド層５５を接地電位に保持して、各カード側端子２５及びコネクタ側端子２７から発生する電気ノイズをシールドすることができる。なお、シールド層５５に接続される接地用の端子はカード側端子２５ｄまたはコネクタ側端子２７ｄのいずれか一方であってもよい。
【００４３】
また、図６に示すように、シールド層５５を絶縁性の被覆部６２により被覆するようにしてもよい。このようにすれば、シールド層５０が絶縁されることにより、カード用アダプタ２０の筺体が金属材で構成されている場合であっても、この金属材とシールド層５５とが短絡することを防止することができる。
【００４４】
また、図５に示したシールド層５５は、保持部３１の表面全体に形成されているが、本発明はこれに限られるものではなく、例えば、導通部５０の形成領域を避けるように設けてもよい。このようにすれば、導通部５０とシールド層５５との間に絶縁層を形成する必要がなくなる。なお、この場合において、例えば図７に示すように、導通部５０及びシールド層５５のそれぞれの表面を絶縁性の被覆部６２で被覆することにより、金属部品と接触することにより短絡を防止することができる。
【００４５】
また、図５及び図６について説明した構成においては、シールド層５５を印刷によって保持部３１の表面に形成することにより、保持部３１の表面において導通部５０を印刷する工程と同じ印刷工程を利用してシールド層５５を形成することができる。
【００４６】
また、上述の実施の形態においては、カード側端子２５とコネクタ側端子２７とを保持部３１の表面に印刷された導通部５０により接続する場合について述べたが、本発明はこれに限られるものではなく、複数のカード側端子２５のうちの少なくとも二つを接続する場合、または複数のコネクタ側端子２７のうちの少なくとも二つを接続する場合においても適用することができる。例えば、図８に示すように、複数のカード側端子２５のうちの二つ（カード側端子２５ｄ、２５ｅ）からなるカード側端子の組が接地端子として用いられる場合において、この端子の一部（例えば先端部２５ｄ２、２５ｅ２）を保持部３１の表面に露出させ、これら二つの露出部分を含む領域に導電性ペーストを印刷することにより導通部５０を形成する。この導通部５０によって、カード側端子２５のうちの接地端子（カード側端子２５ｄ、２５ｅ）を他の端子とは非接触で接続することができる。これにより、接地端子として設定されているカード側端子２５ｄ及び２５ｅのうち、いずれか一方のみが小型カード１０を接続する際の接地端子として用いられる場合であっても、他方の端子を接地電位に保つことができる。
【００４７】
また、コネクタ側端子２７においても同様にして、例えば、複数のコネクタ側端子２７のうちの二つ（コネクタ側端子２７ｄ、２７ｅ）からなるコネクタ側端子の組が接地端子として用いられる場合において、この端子の一部（例えば先端部２７ｄ２、２７ｅ２）を保持部３１の表面に露出させ、これら二つの露出部分を含む領域に導電性ペーストを印刷することにより導通部５０を形成する。この導通部５０によって、コネクタ側端子２７のうちの接地端子（コネクタ側端子２７ｄ、２７ｅ）を他の端子とは非接触で接続することができる。なお、図８に示す例では、接地端子同士を接続する場合について述べたが、これに限られるものではなく、カード側端子２５に複数の電源端子が設けられている場合、またはコネクタ側端子２７に複数の電源端子が設けられている場合においても適用することができる。また、同じ機能が割り当てられる信号端子同士を接続する場合においても適用することができる。
【００４８】
また、上述の実施の形態においては、保持部３１内で他の端子と接続されていないカード側端子２５ｂとコネクタ側端子２７ｂとを保持部３１の表面において導通部５０により接続する場合について述べたが、本発明はこれに限られるものではなく、保持部３１内において他の端子と連続形成されている端子においても、その一部を保持部３１の表面に露出させて導通部５０を形成し、内部で接続されている他の端子とは異なる別の端子と導通部５０により接続することができる。
【００４９】
また、上述の実施の形態においては、一列に配置されたコネクタ側端子２７に対して、カード側端子２５が一列に配置され、これらが一つの保持部３１によって保持されている構成について述べたが、本発明はこれに限られるものではなく、例えば、カード側端子２５が複数列に配置されている場合においても適用することができる。この場合、保持部３１を複数列のカード側端子２５の各列に対して共通に設ける構成、または複数列のカード側端子２５の各列ごとに別々に設ける構成のいずれであってもよく、それら保持部３１の表面に導通部５０を印刷により形成するようにすればよい。
【図面の簡単な説明】
【００５０】
【図１】本発明の一実施の形態に係るカード用アダプタの全体構成を示す斜視図である。
【図２】上記実施の形態に係るカード用アダプタの端子構成を示す斜視図である。
【図３】上記実施の形態に係るカード用アダプタの保持部を示す斜視図である。
【図４】上記実施の形態に係るカード用アダプタのカード側端子とコネクタ側端子との間の接続部とこの接続部を横切る導通部を示す平面図である。
【図５】他の実施の形態に係るシールド層を形成した保持部を示す斜視図である。
【図６】他の実施の形態に係るカード用アダプタの被覆部を示す断面図である。
【図７】他の実施の形態に係るカード用アダプタの被覆部を示す断面図である。
【図８】他の実施の形態に係る保持部及びその表面に形成された導通部を示す斜視図である。
【符号の説明】
【００５１】
１０  小型カード
２０  カード用アダプタ
２１  筺体
２２  挿入口
２５  カード側端子
２７  コネクタ側端子
３１  保持部
３２ａ、３２ｂ  枠部
３３  挿入ガイド部
３５  下部筺体
３８  開口部
４１  連続形成部
５０  導通部
５５  シールド層
６１  絶縁層
６２  被覆部
【図１】
0005193520.tif 000002
【図２】
0005193520.tif 000003
【図３】
0005193520.tif 000004
【図４】
0005193520.tif 000005
【図５】
0005193520.tif 000006
【図６】
0005193520.tif 000007
【図７】
0005193520.tif 000008
【図８】
0005193520.tif 000009